(57)【要約】【課題】煩雑な作業を不要とし、より直感的な動作で文字入力ができる携帯電話機を提供することである。【解決手段】  文字グループを対応付けた入力キー１〜１２およびディスプレイ１６を備えた電話機本体１３に、コンピュータ１７と、角度センサ１８とを実装し、コンピュータ１７は、入力キー１〜１２が押されたときの電話機本体１３の角度を基準角度として記憶し、押された入力キー１〜１２に対応する文字グループを特定し、その文字グループをディスプレイ１６上の文字選択エリア２０に表示し、入力キー１〜１２が押されている間に、上記文字選択エリア２０に表示されている文字グループの中から、上記基準角度に対する電話機本体１３の角度に対応した位置に表示された特定文字をマーキングして、入力キー１〜１２が放されたとき、マーキングされている文字を文字入力エリア１９に表示する機能を備えた。【選択図】  図４
2005339453.tif 000002
【特許請求の範囲】
【請求項１】
電話機本体に、入力キーとディスプレイとを備えるとともに、個々の入力キーに文字グループを対応付けた携帯電話機において、上記電話機本体には、コンピュータと、このコンピュータに接続した角度センサとを実装し、このコンピュータは、入力キーが押されたときの電話機本体の角度を基準角度として記憶する機能と、入力キーが押されたとき、その入力キーに対応する文字グループを特定する機能と、特定した文字グループをディスプレイ上の文字選択エリアに表示する機能と、入力キーが押されている間に、上記基準角度に対する電話機本体の角度を特定する機能と、上記文字選択エリアに表示されている文字グループの中から、上記電話機本体の角度に対応した位置に表示された特定文字をマーキングする機能と、入力キーが放されたとき、マーキングされている文字を選択してディスプレイ上の文字入力エリアに表示する機能とを備えた携帯電話機。
【請求項２】
コンピュータは、特定した文字グループの文字をディスプレイの文字選択エリアに一直線状に配列させる機能と、上記一直線上の文字配列位置のそれぞれに角度しきい値を対応付けて記憶する機能と、電話機本体の角度が上記角度しきい値に達した時点でその角度しきい値に対応する位置に配列された文字をマーキングする機能とを備えた請求項１に記載の携帯電話機。
【請求項３】
特定の入力キーに複数の文字グループを対応付けるとともに、上記コンピュータに接続した加速度センサを備え、コンピュータは、加速度センサが検出した加速度に応じて、文字選択エリアに表示する文字グループを特定する請求項１または２に記載の携帯電話機。
【請求項４】
電話機本体に入力キーとディスプレイとを備え、個々の入力キーに文字グループを対応付けた携帯電話機において、上記電話機本体にはコンピュータと、このコンピュータに接続した加速度センサとを実装し、このコンピュータは、入力キーが押されたときその入力キーに対応する文字グループを特定する機能と、特定した文字グループをディスプレイ上の文字選択エリアに表示する機能と、上記選択エリアに表示された文字グループの中から電話機本体の加速度に対応した位置に表示された特定の文字をマーキングする機能と、入力キーが放されたとき、マーキングされている文字を選択してディスプレイ上の文字入力エリアに表示する機能とを備えた携帯電話機。
【請求項５】
コンピュータは、マーキングした文字を他の文字より大きく表示させる機能を有する請求項１〜４のいずれか１に記載の携帯電話機。
【発明の詳細な説明】
【技術分野】
【０００１】
この発明は、文字を入力することができる携帯電話機に関する。
【背景技術】
【０００２】
携帯電話で電子メール用のメッセージ等を作成するために、文字を入力する際には、電話番号入力用のテンキー、「＊」、「＃」などの各入力キーを利用する場合がほとんどである。これら各入力キーには、図１４における入力キー部１４の拡大図のように、数字のほか、仮名が表示され、その入力キーによって入力可能な複数の文字からなる文字グループが対応付けられている。例えば、入力キー１にはあ行の５文字、入力キー２にはか行の５文字が対応付けられ、入力できるようにしている。さらに、入力キー１によって「ぁ」、「ぃ」など、あ行の小文字５文字も入力できるようにしている場合がある。つまり、各入力キーには、あ行、か行、さ行など、それぞれ、複数の文字からなる文字グループが対応付けられている。
【０００３】
そして、同じ入力キーを繰り返し押すと、押す度に、その入力キーに対応する文字グループの文字が１つずつディスプレイに表示され、それを選択できるようになっている。例えば、か行の入力キー２を１回押すと「か」、２回押すと「き」が表示され、入力キー２を押す度に「か」→「き」→「く」→「け」→「こ」→「か」と、繰り返して表示される。そして、入力したい文字が表れた時点で、入力キー２とは別の決定キーを押せば、その文字を選択することができる。
【特許文献１】特開２００３−２５８９７７号公報
【発明の開示】
【発明が解決しようとする課題】
【０００４】
上記のような方式では、選択したい文字が現れるまで、入力キーを繰り返し押さなければならい。例えば、「お」の場合には、あ行の入力キー１を５回さなければならないので、求める文字にたどりつくまでに時間と手間が掛かってしまう。また、早く目的の文字にたどり着きたいために、入力キーを早く押していると、多く押しすぎて目的の文字を通り過ぎてしまうことも多い。その場合には、戻ることができないので、また入力キーを何回も押さなければならないという問題があった。例えば、「え」を選択するためには、あ行の入力キー１を４回押す必要があるが、５回押してしまって「お」が表示されたときに、「え」に戻ることができないので、再度、「あ」から４回押し直さなければならないのである。
この発明の目的は、上記のような煩雑な作業を不要とし、ユーザーにとって、より直感的な動作で文字入力ができる携帯電話機を提供することである。
【課題を解決するための手段】
【０００５】
第１〜第４の発明は、電話機本体に、入力キーとディスプレイとを備えるとともに、個々の入力キーに文字グループを対応付けた携帯電話機を前提とする。
上記の携帯電話機を前提とし、第１の発明は、入力キーとディスプレイとを備えるとともに、個々の入力キーに文字グループを対応付けた携帯電話機において、上記電話機本体には、コンピュータと、このコンピュータに接続した角度センサとを実装し、このコンピュータは、入力キーが押されたときの電話機本体の角度を基準角度として記憶する機能と、入力キーが押されたとき、その入力キーに対応する文字グループを特定する機能と、特定した文字グループをディスプレイ上の文字選択エリアに表示する機能と、入力キーが押されている間に、上記基準角度に対する電話機本体の角度を特定する機能と、上記文字選択エリアに表示されている文字グループの中から、上記電話機本体の角度に対応した位置に表示された特定文字をマーキングする機能と、入力キーが放されたとき、マーキングされている文字を選択してディスプレイ上の文字入力エリアに表示する機能とを備えた点に特徴を有する。
【０００６】
第２の発明は、上記第１の発明を前提とし、コンピュータは、特定した文字グループの文字をディスプレイの文字選択エリアに一直線状に配列させる機能と、上記一直線上の文字配列位置のそれぞれに角度しきい値を対応付けて記憶する機能と、電話機本体の角度が上記角度しきい値に達した時点でその角度しきい値に対応する位置に配列された文字をマーキングする機能とを備えた点に特徴を有する。
【０００７】
第３の発明は、上記第１または第２の発明を前提とし、特定の入力キーに複数の文字グループを対応付けるとともに、上記コンピュータに接続した加速度センサを備え、コンピュータは、加速度センサが検出した加速度に応じて、文字選択エリアに表示する文字グループを特定する点に特徴を有する。
【０００８】
第４の発明は、電話機本体に入力キーとディスプレイとを備え、個々の入力キーに文字グループを対応付けた携帯電話機において、上記電話機本体にはコンピュータと、このコンピュータに接続した加速度センサとを実装し、このコンピュータは、入力キーが押されたときその入力キーに対応する文字グループを特定する機能と、特定した文字グループをディスプレイ上の文字選択エリアに表示する機能と、上記選択エリアに表示された文字グループの中から電話機本体の加速度に対応した位置に表示された特定の文字をマーキングする機能と、入力キーが放されたとき、マーキングされている文字を選択してディスプレイ上の文字入力エリアに表示する機能とを備えた点に特徴を有する。
【０００９】
第５の発明は、上記第１〜第４の発明を前提とし、コンピュータは、マーキングした文字を他の文字より大きく表示させる機能を有する点に特徴を有する。
【発明の効果】
【００１０】
第１〜第５の発明によれば、携帯電話機を用いて文字を入力する際の、文字選択作業がユーザーにとって直感的に理解しやすい作業になるので、やりやすく、入力間違いが少なくなる。また、入力作業に要する時間と手間が省略できる。
特に、第１の発明では、電話機本体を傾けるという簡単な作業によって入力文字の選択ができるようになる。
【００１１】
第２の発明によれば、その他の文字配列と比べて、文字選択エリアの表示スペースを有効に使うことができるため、文字選択エリアに表示する文字を大きく表示することができる。
また、文字選択エリアを小さくして、そのぶん文字入力エリアの面積を大きくすることができる。それにより、文字入力エリアの文字を大きく表示したり、表示する文字数を多くしたりすることもできる。
【００１２】
第３の発明によれば、１つの入力キーに複数の文字グループを対応付けた場合にも、簡単な手順で文字入力することができるようになる。
第４の発明によれば、電話機本体を振ると言った簡単な動作によって、入力文字の選択できる。
第５の発明によれば、マーキングした文字が大きく表示されるため、表示スペースが小さな携帯電話機においても、見間違いが少なくなくなり、入力間違いが少なくなる。
【発明を実施するための最良の形態】
【００１３】
図１〜図４にこの発明の第１実施形態を示す。
図１は、この発明の携帯電話機の外観図であるが、電話機本体１３に入力キー部１４とディスプレイ１６とを備えた一般的な形状である。入力キー部１４には、図１４に示す従来例と同様に、文字や記号を入力するための入力キー１〜１２が配置されている。なお、図中符号１５は、文字入力の際に、文字の選択を確定する決定キーである。
また、電話機本体１３の図中下方の側面をＡ、向かって右側側面をＢとし、側面Ａに平行な直線をｘ軸、これに直交する直線をｙ軸とする。
【００１４】
この電話機本体１３は、図２に示すように、内部にこの発明のコンピュータである処理部１７と、これに接続した角度センサ１８とを実装している。この処理部１７は、電話機としての通信機能などを制御する部分とは別に、文字入力を制御するための機能を備えた処理部であり、上記入力キー部１４の各入力キー１〜１２と、ディスプレイ１６にも連係している。
そして、上記入力キー部１４の入力キー１〜１２には、それぞれ複数の文字からなる文字グループが対応付けられている。例えば、入力キー１には、あ行の５文字の文字グループ、入力キー２には、か行の５文字の文字グループが対応付けられ、この対応関係を処理部１７が記憶している。ただし、各入力キーと文字グループとの対応関係などのデータは、処理部１７が記憶するのではなく、処理部１７に連係した記憶部が記憶するようにしてもかまわない。また、図１４では、現在一般的に用いられている入力キーを示しているが、どの入力キーにどのような文字グループを対応付けてもかまわない。
なお、仮名文字だけでなく、アルファベットや、記号を入力する際にも、上記入力キー１〜１２を用いるが、ここでは仮名文字の入力について説明する。
【００１５】
また、上記角度センサ１８は、電話機本体１３の角度を検出して、その検出信号を処理部１７に入力する機能を備えている。電話機本体１３の角度として、この第１実施形態では、図１に示したｘ軸を基準とした回転角度ａと、ｙ軸を基準とした回転角度ｂを検出するようにしている。なお、上記角度ａおよび角度ｂは、それぞれ、図１における紙面と直交する平面内の角度で、紙面とディスプレイ１６面とが平行であるとすると、各角度ａ，ｂは、ディスプレイ１６面を基準にした回転角と考えることもできる。
上記のように、角度センサ１８が、ディスプレイ１６面に直交し、互いに直交する１つの面内の角度ａ，ｂを検出するので、処理部１７は、角度センサ１８の検出結果によって、ディスプレイ１６面の傾きや、電話機本体１３の傾きを検出することができる。
【００１６】
一方、メッセージの作成時、すなわち、予めメッセージ作成画面をディスプレイ１６に表示させた状態で、入力キー１〜１２が押下されると、押下された入力キー１〜１２を特定する信号が、処理部１７へ入力されるようにしている。
上記処理部１７は、入力キー部１４から入力キー特定信号が入力されると、その入力キーに対応する文字グループを特定して、その文字グループに含まれる文字を、ディスプレイ１６に表示させる機能を備えている。メッセージ作成時、ディスプレイ１６は、図３に示すように文字入力エリア１９と文字選択エリア２０とを備えていて、処理部１７は入力キー部１４からの信号に基づいて特定した文字グループを、上記文字選択エリア２０内に、十字状に表示させる。そして、この十字が、上記ｘ軸とｙ軸に対応している。
ただし、処理部１７が文字選択エリア２０内に、文字グループを表示させるのは、入力キー１〜１２のいずれかが、押下された状態を維持している間である。
【００１７】
また、処理部１７は上記入力キー１〜１２が押下されたとき、その時点での電話機本体１３の角度を検出して基準角度として記憶する。そして、その後、電話機本体１３が傾いたとき、その角度を上記基準角度からの傾きで特定するようにしている。
図３では、ディスプレイ１６の下方に、ｘ軸を含んでディスプレイ１６面と直交する平面を示し、右側には、ｙ軸を含んでディスプレイ１６面と直交する平面を示している。
そして、反時計回りの回転角を正とした場合、角度ａが正の値のとき、電話本体１３の傾きは、文字選択エリア２０内の文字「お」側が下がり、文字「う」が上がった状態であり、角度ｂが正の値のときには、文字「い」が上がり文字「え」が下がった状態になる。
【００１８】
このように、文字選択エリア２０に、文字グループを表示させた状態で電話機本体１３が傾いたとき、処理部１７はその角度を特定するとともに、その角度に対応した位置に表示されている文字をユーザーが選択した文字としてマーキングする機能を備えている。この第１実施形態では、上記基準角度より下がった位置に表示されている文字をマーキングするものとする。例えば、角度ａのしきい値として角度ａ１を設定し、角度ａ≧ａ１（＞０）のときには、文字「お」をマーキングし、角度ａ≦｛−ａ１｝のときには、文字「う」をマーキングし、｛−ａ１｝＜ａ＜ａ１のときには、文字「あ」をマーキングする。
また、角度ｂのしきい値を角度ｂ１とすれば、角度ｂ≧ｂ１（＞０）のとき、文字「え」をマーキングし、角度ｂ≦｛−ｂ１｝のとき、文字「い」をマーキングし、それ以外のとき文字「あ」をマーキングすることになる。
【００１９】
処理部１７は、入力キー１が押下された状態のまま、電話機本体１３の傾きが変化すれば、その角度に応じてマーキングする文字を変え、文字選択エリア２０内では、マーキングした文字が分かるように、他の文字とは表示を変えるようにする。例えば、図４の左側のディスプレイ１６に示すように、二重枠で囲んで、文字「い」がマーキングされたことを表す。
そして、処理部１７は、特定の文字をマーキングした状態で、押下されている入力キーが放されたとき、そのことを検出して、その時点でマーキングしていた文字を選択して、文字入力エリア１９内に表示させる。
【００２０】
なお、入力キー１〜１２が放されたことを、処理部１７が検出する方法は、どのようなものでもかまわない。例えば、一度押下された入力キー１〜１２が放されたときには、別の信号が出力されるようにしてもよいし、押下状態が継続している間は、上記入力キー特定信号が出力され続けるようにしておいて、それが途絶えることによって、入力キー１〜１２が放されたことを検出するようにしてもよい。
ユーザーは、マーキングされた文字を、入力したい場合には、押下している入力キーを放せば、文字入力ができる。
【００２１】
図４は、文字「い」がマーキングされた状態で、入力キー１が放され、点線矢印の右側のようになったことを示している。押下されていた入力キー１が放されたことによって、処理部１７が文字「い」を文字入力エリア１９内に表示させる。このように、文字入力エリア１９内に文字が表示されたら、決定ボタン１５（図１参照）によって「い」を確定することもできるし、図示しないクリアボタンで消去することもできる。さらに、上記の手順を繰り返し、他の文字を文字入力エリア１９に入力することもできる。
なお、図４の右図では、文字選択エリア２０内に、文字「い」とともに、小文字「ぃ」が表示されているが、小文字「ぃ」を入力したい場合には、上記のように電話機本体１３を奧に傾けてマーキングし、決定キー１５を押すと先の「い」がキャンセルされて、小文字「ぃ」が確定するようにしている。
【００２２】
上記のように、ユーザーは、文字選択エリア２０に表示されている文字の中で自分が目的とする文字の方向に、電話機本体１３を傾けてマーキング位置を変えることができるので、直感的に分かりやすく、選択間違いが少なくなる。
なお、上記の例では、十字状に配置した文字の中から、ユーザーが目的とする文字の方向に電話機本体１３を傾けるので、角度ａと角度ｂの両方のしきい値を同時に越えることはほとんど考えられないが、もしも、両方のしきい値を同時に越えた場合、例えば、文字「お」と文字「い」の間の方向に斜めに傾いてどちらもしきい値に達した場合などには、絶対値には関係なく、方向に優先順位を設定して、どちらか一方の文字をマーキングするようにすればよい。
【００２３】
また、使用頻度によって、文字選択エリア２０での文字配列をきめ、例えば使用頻度の高い文字をｙ軸方向に配置して、ｙ軸方向の角度ｂのしきい値を、ｘ軸方向の角度ａのしきい値よりも小さくして、ｙ軸方向に配置された文字が優先的に選択されるようにすることもできる。
ただし、電話機本体１３を手に持って傾ける場合に、その方向によって傾け易さがある場合、傾け易い方向のしきい値を大きく設定し、傾けづらい方向のしきい値を小さくするなどの工夫をすれば、文字の選択作業をよりやり易くできる。
【００２４】
また、処理部１７がマーキングした文字を、文字選択エリア２０内で表示する際には、上記のように二重枠で囲む方法に限らず、マーキングされた文字がどれなのかが分かれば、どのような表示方法でもよい。例えば、マーキングした文字だけを反転表示させたり、色を変えたりするほか、他の文字より大きく表示したり、濃く表示したりして目立たせるようにすれば、小さな文字を見るのが苦手なユーザーにとっても、より使いやすいものとなる。特に、携帯電話機のディスプレイ１６は、小さくて表示スペースが限られているため、文字の大きさも制限されるが、上記のようにすれば、見間違いを減らして、入力間違いを防止できる。
【００２５】
また、入力キー１〜１２に対応する文字グループを、文字選択エリア２０内に表示させる際の配列は、十字状に限らない。例えば、図５に示す第２実施形態は、一直線状に配置した例である。
この第２実施形態の携帯電話の外観および構成は、図１、図２に示す第１実施形態と同じである。また、メッセージ作成画面の構成も図３と同じである。従って、第２実施形態の説明にも、図１〜図３を用いる。ただし、第２実施形態では、図３の文字選択エリア２０に表示される文字配列が異なり、角度センサ１８は、角度ａのみを検出すればよい。
【００２６】
図５では、５文字のうち、文字「あ」がマーキングされ、二重枠で表示されているが、角度ａを調整し、電話機本体１３を文字「お」側に傾ける、すなわち、ｘ軸に対して角度ａを負の方向へ傾けることによって、処理部１７が他の文字をマーキングするようにしている。
この第２実施形態では、全ての文字が一直線状に配置されているので、角度ａの大きさによって、処理部１７がマーキングする文字を区別するようにしている。すなわち、最初に入力キー１〜１２が押されたときの基準角度に対して、−ａ側に、４個のしきい値、例えば、ａ１，ａ２，ａ３，ａ４を設定し、角度ａがａ１に達したら、文字「い」をマーキングし、ａ２に達したら文字「う」をマーキングするというようにすればよい。
この場合にも、ユーザーは、目的とする方向に電話機本体１３を傾けて、文字を選択できるので、従来のように、同じ入力キーを繰り返し押して文字を変更する場合と比べて、文字選択の作業を直感的に理解し易く、間違いなく、簡単に文字入力ができるようになる。
【００２７】
図６〜図８に示す第３実施形態は、電話本体１３に、この発明のコンピュータである処理部１７と、加速度センサ２１とを備え（図７参照）、上記第１、第２実施形態において、角度によって文字を特定した代わりに加速度を利用する点が特徴である。ただし、上記第１実施形態と同じ構成要素には、同じ符号を付けている。また、図６における入力キー部１４の各入力キー１〜１２の詳細は、図１４の従来例と同じである。
上記加速度センサ２１は、図６に示すｘ軸方向の加速度αと、ｙ軸方向の加速度βとを、それぞれ検出して、処理部１７へ送信する機能を備えている。
【００２８】
また、処理部１７は、入力キー１〜１２のいずれかが押下され、入力キー部１４から入力キー特定信号が入力された時点で、その入力キーに対応する文字グループを文字選択エリア２０に表示させる機能を備えている点は、他の実施形態と同じである。その後、処理部１７は、加速度センサ２１から入力された検出結果から、電話機本体１３の加速度を検出して、その加速度に応じた位置に表示されている文字をマーキングするようにしている。
図８には、文字選択エリア２０に、あ行の５文字が十字状に配置して表示されている状態を表しているが、このような状態で、電話機本体１３が、特定の文字の方向に振られたら、処理部１７は、振られた方向に位置している文字をマーキングする。
【００２９】
図８では、文字「あ」を二重枠で表示しているが、この状態から、電話機本体１３を文字「お」の方向へ振ると、上記加速度センサ２１は、ｘ軸方向の加速度αを検出して処理部１７に対して出力するので、処理部１７は、その方向から文字「お」を特定してマーキングし、マーキングした文字を二重枠で表示させる。
また、電話機本体１３が、ｙ軸方向の加速度βによって振られた場合には、その方向によって、上記処理部１７は、文字「い」または文字「え」を特定してマーキングする。
なお、処理部１７には、加速度の大きさのしきい値を設定し、加速度センサ２１の検出結果がそのしきい値に達した場合に、電話機本体１３が各方向へ振られたと認識するようにしている。
【００３０】
そして、ディスプレイ１６の文字選択エリア２０に、マーキングされた文字を二重枠で囲んで表示させた状態で、上記決定キー１５を押下すれば、その文字が文字入力エリア１９内に表示される。
この携帯電話機は、電話機本体１３の加速度によって文字を特定し、文字入力エリア１９内に入力できるようにしているので、ユーザーは、文字選択エリア２０内に表示された複数の文字を見ながら、目的の文字の方向へ電話機本体１３を振ればその文字を選択することができる。従来のように、同じ入力キーを繰り返し押して文字を変更する場合と比べて、文字選択の作業を直感的に理解し易く、間違いなく、簡単に文字入力ができるようになる。
【００３１】
次に、例えば、は行のように、半濁音や濁音がある行の文字を選択する場合の例として、第４実施形態を、図９を用いて説明する。なお、この第４実施形態の携帯電話機は、図１、図２に示す第１実施形態と同様の構成をしている。従って、以下の説明に、図１、図２も用いる。
そして、図９は、携帯電話機での文字入力作業中に、ディスプレイ１６の文字選択エリア２０内に表示された文字グループを示したものである。この文字グループは、は行の５文字と、その半濁音の５文字、濁音５文字の、合計１５文字を１つの文字グループとして表示している。これら１５文字からなる文字グループを、１つの入力キー、例えば、図１４に示す入力キー６に対応付けておけば、この入力キー６が押されたときに、処理部１７が文字選択エリア２０にこの文字グループをマトリックス状に表示させる。
【００３２】
また、上記処理部１７には、上記文字グループのマトリックスの各位置に対応した角度を記憶し、電話機本体１３の角度に応じて、その位置に表示されている文字をマーキングする機能を備えている。上記マトリックスの各位置は、角度センサ１８が検出した角度ａおよび角度ｂによって特定する。
例えば、文字「は」がマーキングされた状態から文字「ほ」側に傾ける際に、その角度ａの絶対値が小さい値から大きくなるに従って、文字「ひ」→「ふ」→「へ」→「ほ」と、マーキングされる文字が変化する。つまり、角度ａを調整することによって、ｘ軸方向の位置を選択し、角度ｂによって、ｙ軸方向の位置、すなわち、半濁音の文字や濁音文字を選択することができる。
【００３３】
ユーザーは、目的の文字を選択する場合には、電話機本体１３を、目的の文字に対応する角度にすればよいので、上記のように、表示された順に選択していく必要はない。電話機本体１３の角度と文字位置とを対応付けているので、文字選択動作が、ユーザーにとって、直感的に理解し易い点は、上記他の実施形態と同様である。
ただし、実際には、１回の動作で目的の文字に対応した角度に電話機本体１３を傾けることが難しいこともある。その場合でも、文字選択エリア２０に表示される二重枠などのマーキング文字の表示を参考にして、傾ける角度を調整することができる。例えば、傾けすぎた場合には、戻すこともでき、従来のように、一定の順序で選択文字を変更しなければならなかった場合と比べて、手間と時間を短縮できるメリットもある。
【００３４】
図１０、図１１に示す第５実施形態の携帯電話機は、電話機本体に１３に、処理部１７に接続した角度センサ１７と加速度センサ２１とを備えた点が、上記他の実施形態と異なる。
また、１つの入力キーに、複数の文字グループを対応付けている。
図１０の入力キー部１４を構成する入力キーは、図１４に示す構成をしているが、これらの入力キー１〜１２のうち、例えば、入力キー６には、は行の５文字からなる第１の文字グループと、これらの半濁音の文字からなる第２の文字グループと、濁音文字からなる第３の文字グループとの３つの文字グループを対応付けている。ただし、全ての入力キーにそれぞれ、複数の文字グループを対応付ける必要はない。
【００３５】
上記角度センサ１８と加速度センサ２１は、電話機本体１３の角度および加速度を検出して、その検出結果を処理部１７へ対して出力する。
処理部１７は、メッセージ作成画面をディスプレイ１６に表示させた状態でいずれかの入力キー１〜１２が押されると、その入力キーに対応した文字グループを文字表示エリア２０（図３参照）に表示させるとともに、その時点での電話機本体１３の角度を検出し、その後の電話機本体１３の角度に応じた位置の文字を特定する機能を有する。この点は、上記第１実施形態と同じである。
ただし、この第５実施形態では、上記入力キー６は、複数の文字グループが対応付けられているので、処理部１７は文字グループが押下された時点では、対応付けられている文字グループのいずれか１つ、ここでは、第１の文字グループの５文字を、文字選択エリア２０内に十字状にして表示させる。
【００３６】
そして、図１１に示すように、第１の文字グループが表示された状態から、電話機本体１３を振って、所定の加速度α１を与えると、第２の文字グループが表示され、さらに、加速度α１を与えると第３の文字グループが表示されるようにしている。つまり、処理部１７は、加速度センサ２１から入力された加速度αの検出結果に基づいて、文字選択エリア２０に表示させる文字グループを切り換える機能を備えている。また、上記加速度α１とは異なる加速度α２が付与されたときには、第１の文字グループから第３の文字グループに切り換わるようにすることもできる。
なお、各文字グループが表示された状態で、電話機本体１３を傾ければ、処理部１７はその角度ａおよびｂに応じた文字をマーキングする。
すなわち、文字選択エリア２０に表示する文字グループの切り換えは、加速度αによって行い、文字グループ内の文字の特定は角度ａおよびｂによって行うというものである。
【００３７】
図１２は、文字選択エリア２０内に表示させる文字の配列が一直線状であるが、それ以外は、上記第５実施形態と全く同じである第６実施形態を示した図である。
つまり、文字選択エリア２０に表示させる文字グループの切り換えは、加速度αによって行い、文字グループ内の特定文字のマーキングは角度ａによって行うというものである。
【００３８】
図１３に示す第７実施形態は、文字グループの切り換えを、電話機本体１３を傾けたときの角度ｂに基づいて行い、各文字グループ内の特定文字のマーキングは加速度αによって行う例である。
上記第５〜第７実施形態は、１つのキーに複数の文字グループを対応付けた場合に、対応する例であり、電話機本体１３（図１，図６参照）の加速度または角度によって文字グループの切り換えを行い、角度または加速度によって各文字グループ内の特定文字のマーキングを行うものである。そのために、電話機本体１３には、角度センサ１８および加速度センサ２１を実装している。
【００３９】
これら第５〜第７実施形態においても、文字入力の際に、従来の方法と比べて、ユーザーが、文字選択の作業を直感的に理解し易く、間違いなく、簡単に文字入力ができるようになる。
なお、文字グループの切り換えに利用する角度や加速度の大きさや方向、組み合わせなどは、上記の例に限らない。
また、文字グループの切り換えには、加速度や角度を利用しないで、特定の切り換えキーを利用するようにしてもよい。
【００４０】
さらに、上記文字選択エリア２０内に表示させる文字の配列は、上記のように十字状や一直線状に限らず、どのような配置であってもかまわない。ユーザーが、電話機本体１３を傾けたり、振ったりする作業がやりやすい配置を利用すればよい。例えば、電話機本体１３を右手で持っている場合と、左手で持っている場合とでは、傾けやすい方向が異なるので、利用頻度が高い文字が傾けやすい位置に配置されていることが好ましい。
また、複数の配置パターンを用意しておいて、その中から予めユーザーに選択させるようにしてもよい。
ただし、上記十字状よりも、一直線状の配置のほうが、ディスプレイの表示エリアを有効に利用できるため、個々の文字を大きく表示させたり、文字入力エリアの面積を大きくしたりすることができる。
【００４１】
また、上記第５〜第７実施形態では、１つの入力キーに対応付ける複数の文字グループとして、濁点なしの文字グループと、半濁音、濁音の文字グループの例を示しているが、文字グループの種類は、これに限らない。例えば、あ行に対応する入力キーに、通常文字のグループと、「ぁ」や「ぃ」などの小文字のグループとを対応付けてもよいし、それ以外のどのような文字の組み合わせによって文字グループを構成するようにしてもよい。
ただし、現在、利用されている携帯電話機の入力キーと文字グループとの対応をそのまま利用すれば、ユーザーは、すぐに、この発明の携帯電話機を使いこなせるようになる。
【図面の簡単な説明】
【００４２】
【図１】第１実施形態の携帯電話機の外観図である。
【図２】第１実施形態の構成図である。
【図３】第１実施形態のディスプレイの平面図である。
【図４】第１実施形態において特定文字がマーキングされた状態を示した平面図である。
【図５】第２実施形態の文字選択エリア内の文字配列を示した図である。
【図６】第３実施形態の携帯電話機の外観図である。
【図７】第３実施形態の構成図である。
【図８】第３実施形態のディスプレイの平面図である。
【図９】第４実施形態の文字選択エリア内の文字配列を示した図である。
【図１０】第５実施形態の構成図である。
【図１１】第５実施形態の文字選択エリア内の表示を示した図である。
【図１２】第６実施形態の文字選択エリア内の表示を示した図である。
【図１３】第７実施形態の文字選択エリア内の表示を示した図である。
【図１４】一般的な携帯電話機の入力キー部分の拡大図である。
【符号の説明】
【００４３】
１〜１２        入力キー
１３            電話機本体
１６            ディスプレイ
１７            処理部
１８            角度センサ
１９            文字入力エリア
２０            文字選択エリア
２１            加速度センサ
ａ，ｂ          角度
α，β          加速度
【図１】
2005339453.tif 000003
【図２】
2005339453.tif 000004
【図３】
2005339453.tif 000005
【図４】
2005339453.tif 000006
【図５】
2005339453.tif 000007
【図６】
2005339453.tif 000008
【図７】
2005339453.tif 000009
【図８】
2005339453.tif 000010
【図９】
2005339453.tif 000011
【図１０】
2005339453.tif 000012
【図１１】
2005339453.tif 000013
【図１２】
2005339453.tif 000014
【図１３】
2005339453.tif 000015
【図１４】
2005339453.tif 000016